(57)【要約】【課題】ユーザーの指定した複数のルートを分かり易く表示することのできる電子機器、表示処理方法、及びプログラムを提供することを目的とする。【解決手段】本発明に係る電子機器は、ユーザーによって用途の指定された複数のルートを、複数の前記ルートの用途ごとに異なる表示態様で表示する表示処理部を含む。【選択図】図１０
2016223962.tif 000002
【特許請求の範囲】
【請求項１】
ユーザーによって用途の指定された複数のルートを、複数の前記ルートの用途ごとに異
なる表示態様で表示する表示処理部を含む、
電子機器。
【請求項２】
前記表示処理部が参照する情報として、
前記複数のルートの各々の用途を示す情報と、
複数の前記用途と複数の前記表示態様との対応関係を示す情報と、
を記憶する記憶部を更に備える、
請求項１に記載の電子機器。
【請求項３】
複数の前記ルートには、
予備のルートであるサブルートと、主たるルートであるメインルートから離脱するため
のエスケープルートとのうち少なくとも一方と、前記メインルートと、が含まれる、
請求項１又は２に記載の電子機器。
【請求項４】
前記サブルートは、
前記メインルートの第１の地点を出発地点とし、かつ、前記メインルートの第２の地点
を目標地点としたルートである、
請求項３に記載の電子機器。
【請求項５】
前記エスケープルートは、
前記メインルートの何れかの地点を出発地点とし、かつ、前記メインルートから外れた
地点を目標地点としたルートである、
請求項３の何れか一項に記載の電子機器。
【請求項６】
前記表示処理部は、
複数の前記ルートを、複数の前記ルートの用途ごとに異なる線色又は異なる線種で表示
する、
請求項１〜５の何れか一項に記載の電子機器。
【請求項７】
前記表示処理部は、更に、
前記ユーザーが選択中のルートと、前記ユーザーが非選択中のルートとを、互いに異な
る表示態様で表示する、
請求項１〜６の何れか一項に記載の電子機器。
【請求項８】
前記表示処理部は、更に、
前記ユーザーが移動済みのルートと、前記ユーザーが移動済みでないルートとを、互い
に異なる表示態様で表示する、
請求項１〜７の何れか一項に記載の電子機器。
【請求項９】
前記電子機器は、
可搬の電子機器であり、かつ、前記ユーザーの所定部位へ装着可能である、
請求項１〜８の何れか一項に記載の電子機器。
【請求項１０】
前記所定部位は、腕又は手首である、
請求項９に記載の電子機器。
【請求項１１】
電子機器のコンピューターが実行する表示処理方法であって、
ユーザーによって用途の指定された複数のルートを、複数の前記ルートの用途ごとに異
なる表示態様で表示すること、を含む、
表示処理方法。
【請求項１２】
ユーザーによって用途の指定された複数のルートを、複数の前記ルートの用途ごとに異
なる表示態様で表示すること、を電子機器のコンピューターに実行させる、
プログラム。
【発明の詳細な説明】
【技術分野】
【０００１】
本発明は、電子機器、表示処理方法、及びプログラムに関する。
【背景技術】
【０００２】
登山は、予め計画したルートを進行することを基本としているが、登山者自身又は同行
者の当日の体調や天候等により、計画したルートの進行を諦めざるを得ない場合がある。
【０００３】
このため、多くの登山者は、出発地点から目標地点に至る主たるルート（メインルート
）の他に予備のルート（サブルート）などを想定している。これらのルートを携帯端末へ
表示させれば、ルート変更の必要性を登山者が山行中に判断するための助けとなる。
【０００４】
ここで、特許文献１には、実際の位置情報に対応した配置でルート順が一見できるよう
なデフォルメ図を表示するナビゲーション装置が提案されている。このナビゲーション装
置によれば、全体の行程や位置関係の概略を把握し易いと考えられる。
【先行技術文献】
【特許文献】
【０００５】
【特許文献１】特開平５−３１３５７２号公報
【発明の概要】
【発明が解決しようとする課題】
【０００６】
しかし、サブルートを含む複数の登山ルートは、複雑に入り組んでいる可能性もあるた
め、携帯端末の画面へ単純に表示した場合には、分かりにくくなる虞がある。特に、携帯
端末の表示画面のスペースは限られているため何らかの工夫が必要である。
【０００７】
本発明は、以上のような問題点に鑑みてなされたものであり、本発明のいくつかの態様
は、ユーザーの指定した複数のルートを分かり易く表示することのできる電子機器、表示
処理方法、及びプログラムを提供することを目的とする。
【課題を解決するための手段】
【０００８】
本発明は前述の課題の少なくとも一部を解決するためになされたものであり、以下の態
様又は適用例として実現することが可能である。
【０００９】
［適用例１］
本適用例に係る電子機器は、ユーザーによって用途の指定された複数のルートを、複数
の前記ルートの用途ごとに異なる表示態様で表示する表示処理部を含む。
【００１０】
一般に、ユーザーは、登山などで複数のルートを想定する場合、ルートの用途を予め決
めていることが多い。このため、表示処理部がユーザーの指定した用途ごとに異なる表示
態様でルートを表示すれば、ユーザーは、電子機器に表示された複数のルートを簡単に区
別することができる。
【００１１】
［適用例２］
本適用例に係る電子機器は、前記表示処理部が参照する情報として、前記複数のルート
の各々の用途を示す情報と、複数の前記用途と複数の前記表示態様との対応関係を示す情
報（用途ごとの表示態様を示す情報であって、如何なる用途のルートを如何なる表示態様
で表示すべきかを示す情報である。）と、を記憶する記憶部を更に備えてもよい。
【００１２】
従って、表示処理部は、用途ごとの表示態様を、予め記憶されたものとすることができ
る。従って、ユーザーは、電子機器に表示されたルートの表示態様から、当該ルートの用
途を認識することができる。
【００１３】
［適用例３］
本適用例に係る電子機器において、複数の前記ルートには、予備のルートであるサブル
ートと、主たるルートであるメインルートから離脱するためのエスケープルートとのうち
少なくとも一方と、前記メインルートと、が含まれてもよい。
【００１４】
従って、ユーザーは、電子機器に表示されたルートがメインルートであるかサブルート
であるかを簡単に区別すること、或いは、メインルートであるかエスケープルートである
かを簡単に区別することができる。
【００１５】
［適用例４］
本適用例に係る電子機器において、前記サブルートは、前記メインルートの第１の地点
を出発地点とし、かつ、前記メインルートの第２の地点を目標地点としたルートであって
もよい。
【００１６】
これらメインルートとサブルートとは、一部の地点を共有するので、ユーザーが区別し
にくいと考えられる。しかし、表示処理部は、メインルートとサブルートとを互いに異な
る表示態様で表示するので、ユーザーは、電子機器に表示されたルートの表示態様から、
当該ルートの用途がメインとサブとの何れであるかを簡単に区別することができる。
【００１７】
［適用例５］
本適用例に係る電子機器において、前記エスケープルートは、前記メインルートの何れ
かの地点を出発地点とし、かつ、前記メインルートから外れた地点を目標地点としたルー
トであってもよい。
【００１８】
これらメインルートとエスケープルートとは、一部の地点を共有するので、ユーザーが
区別しにくいと考えられる。しかし、表示処理部は、メインルートとエスケープルートと
を互いに異なる表示態様で表示するので、ユーザーは、電子機器に表示されたルートの表
示態様から、当該ルートの用途がメインとエスケープとの何れであるかを簡単に区別する
ことができる。
【００１９】
［適用例６］
本適用例に係る電子機器において、前記表示処理部は、複数の前記ルートを、複数の前
記ルートの用途ごとに異なる線色又は異なる線種で表示してもよい。
【００２０】
従って、表示処理部は、ユーザーの指定した用途ごとに異なる線色又は線種でルートを
表示することができる。従って、ユーザーは、電子機器に表示されたルートの線色又は線
色から、当該ルートの用途を簡単に認識することができる。
【００２１】
［適用例７］
本適用例に係る電子機器において、前記表示処理部は、更に、前記ユーザーが選択中の
ルートと、前記ユーザーが非選択中のルートとを、互いに異なる表示態様で表示してもよ
い。
【００２２】
従って、ユーザーは、電子機器に表示されたルートの選択の有無を、当該ルートの表示
態様から簡単に認識することができる。
【００２３】
［適用例８］
本適用例に係る電子機器において、前記表示処理部は、更に、前記ユーザーが移動済み
のルートと、前記ユーザーが移動済みでないルートとを、互いに異なる表示態様で表示し
てもよい。
【００２４】
従って、ユーザーは、電子機器に表示されたルートが移動済みであるか否かを、当該ル
ートの表示態様から簡単に認識することができる。
【００２５】
［適用例９］
本適用例に係る電子機器は、可搬の電子機器であり、かつ、前記ユーザーの所定部位へ
装着可能であってもよい。
【００２６】
従って、ユーザーは、ハンズフリーの状態で移動することができる。従って、電子機器
は、スポーツに好適である。
【００２７】
［適用例１０］
本適用例に係る電子機器において、前記所定部位は、腕又は手首であってもよい。
【００２８】
従って、ユーザーは、電子機器を腕時計等と同様の感覚で使用することができる。
【００２９】
［適用例１１］
本適用例に係る表示処理方法は、電子機器のコンピューターが実行する表示処理方法で
あって、ユーザーによって用途の指定された複数のルートを、複数の前記ルートの用途ご
とに異なる表示態様で表示すること、を含む。
【００３０】
一般に、ユーザーは、登山などで複数のルートを想定する場合、ルートの用途を予め決
めていることが多い。このため、ユーザーの指定した用途ごとに異なる表示態様でルート
を表示すれば、ユーザーは、電子機器に表示された複数のルートを簡単に区別する。
【００３１】
［適用例１２］
本適用例に係るプログラムは、ユーザーによって用途の指定された複数のルートを、複
数の前記ルートの用途ごとに異なる表示態様で表示すること、を電子機器のコンピュータ
ーに実行させる。
【００３２】
一般に、ユーザーは、登山などで複数のルートを想定する場合、ルートの用途を予め決
めていることが多い。このため、ユーザーの指定した用途ごとに異なる表示態様でルート
を表示すれば、ユーザーは、電子機器に表示された複数のルートを簡単に区別することが
できる。
【図面の簡単な説明】
【００３３】
【図１】第１実施形態における電子機器１の概要を説明するための図である。
【図２】電子機器１の構成を説明するための機能ブロック図である。
【図３】ユーザーによるルート（メインルート）の指定方法の一例を説明するための図である。
【図４】ユーザーによるルート（サブルート）の指定方法の一例を説明するための図である。
【図５】ユーザーによるルート（エスケープルート）の指定方法の一例を説明するための図である。
【図６】ユーザーによる用途ごとの表示態様の指定方法の一例を説明するための図である。
【図７】ルートのデータと、表示態様のデータとを説明する図である。
【図８】事前準備における情報端末２の処理を説明するためのフローチャートである。
【図９】当日における電子機器１の処理を説明するためのフローチャートである。
【図１０】メインルート、サブルート、エスケープルートを互いに異なる表示形態で（異なる色で）表示した例を説明する図である。
【図１１】メインルート、サブルート、ルートのうち選択中のルートを非選択中のルートとは異なる表示態様で（周期点滅により）表示した例を説明する図である。
【図１２】選択中のルート（メインルート）のうち、現在地点よりも後ろの部分を前の部分とは異なる表示態様で（破線により）表示した例を説明する図である。
【図１３】選択中のルート（メインルート）のうち、現在地点よりも後ろの部分を前の部分とは異なる表示態様で（周期反転する破線により）表示した例を説明する図である。
【図１４】選択中のルート（メインルート）のうち、現在地点よりも後ろの部分を前の部分とは異なる表示態様で（移動矢印により）表示した例を説明する図である。
【発明を実施するための形態】
【００３４】
以下、本発明の好適な実施形態について図面を用いて詳細に説明する。なお、以下に説
明する実施形態は、特許請求の範囲に記載された本発明の内容を不当に限定するものでは
ない。また以下で説明される構成の全てが本発明の必須構成要件であるとは限らない。
【００３５】
１．電子機器の実施形態
１−１．電子機器の概要
図１は、第１実施形態における電子機器の概要を説明するための図である。
【００３６】
図１に示すように、本実施形態における電子機器１（可搬の電子機器の一例）は、例え
ば、登山などのアウトドアシーンにおいてユーザーの身体の一部へ装着される携帯情報機
器である。必要なときにユーザーが目視できるよう、電子機器１の装着先は、肘から手に
至る部位（前腕）である。図１に示す例では、電子機器１はリスト型（腕時計型）の携帯
情報機器（アウトドアウォッチ）として構成され、電子機器１の装着先は手首とされてい
る。
【００３７】
電子機器１には、例えば、アウトドアウォッチとしての機能である計時機能、測位機能
、コンパス機能、高度（又は気圧）検出機能、ナビゲーション機能などが搭載されている
。以下、電子機器１が登山に適用されると仮定して説明する。
【００３８】
登山の前日などに、ユーザーは、スマートフォン、タブレットＰＣ、デスクトップＰＣ
等の情報端末を操作し、登山を予定しているルートを情報端末へ指定し、情報端末を介し
て電子機器１へ登録する。
【００３９】
登山の当日、電子機器１を携帯（装着）したユーザーは、登録されたルートを電子機器
１の表示画面上に呼び出し、電子機器１にルート案内（ナビゲート）をさせることができ
る。なお、ユーザーは、ルートの登録を事前に済ませておけば、登山当日に情報端末を操
作する必要は無い。
【００４０】
ここで、本実施形態のユーザーは、主たるルートであるメインルートの他、サブルート
、エスケープルートなどを電子機器１へ登録することができる。
【００４１】
メインルートは、登山中に移動すべき主たるルートのことであり、例えば、登山口から
山荘までのルートである。
【００４２】
サブルートは、登山の当日に時間的余裕又は体力的余裕があった場合に、ユーザーが移
動しようと考えている予備のルートであって、メインルートから一時的に外れるルートで
ある。サブルートは、メインルートの何れかの地点（第１の地点、例えばメインルートの
途中地点）を出発地点とし、かつ、メインルートの何れかの地点（第２の地点、例えばメ
インルートの途中地点）を目標地点としたルートである。出発地点および目標地点はメイ
ンルート上の任意の地点であり、同一の地点であっても異なる地点であってもよい。
【００４３】
エスケープルートは、登山の当日に不測の事態が発生して登山者又は同行者が登山困難
となった場合などに、短時間で下山するための（メインルートから離脱するための）ルー
トである。エスケープルートは、メインルートの何れかの地点（例えばメインルートの途
中地点）を出発地点とし、かつ、メインルートから外れた地点を目標地点としたルートで
ある。
【００４４】
１−２．メインルートの指定
事前準備では、例えば図２に示すとおり電子機器１は情報端末２（電子機器の一例）へ
接続され、情報端末２はインターネットなどのネットワーク３へ接続される。以下、情報
端末２のユーザーインターフェースとしてタッチパネルが使用される場合を想定する。
【００４５】
先ず、ユーザーは、情報端末２を操作してネットワークサーバー４へアクセスし、ネッ
トワークサーバー４に蓄積された全世界地図のうち、所望のエリアの地図を情報端末２の
表示画面（タッチパネル型ディスプレイなど）へ表示させ、地図を閲覧する。そして、ユ
ーザーは、情報端末２上で地図の拡大、縮小、スクロールなどを行うことにより、メイン
ルートを含むエリアを情報端末２へ表示させる。
【００４６】
次に、ユーザーは、図３に示すとおり、メインルートの各地点Ｐ１、Ｐ２、Ｐ３、…を
、ルートの出発地点Ｐ１から順に指定（タッチ）し、最後の地点である目標地点（図３で
は地点Ｐ８）の指定が完了すると、情報端末２へ完了通知を入力する。
【００４７】
なお、ここでいう「地点」とは、ルート上の何れかの位置のことである。よって、「地
点」の中には、ユーザーが何らかのイベント（休憩、昼食など）を予定している地点（イ
ベントポイント）が含まれていてもよいし、他のルートへの分岐地点が含まれていてもよ
いし、その他の地点が含まれていてもよい。
【００４８】
情報端末２は、ユーザーの指定した複数の地点Ｐ１、Ｐ２、Ｐ３、…を指定順に連結し
てできるルートを、ユーザーの指定したルートとみなし、当該ルートを包含するローカル
地図（地形データ含む。）をネットワークサーバー４からダウンロードする。
【００４９】
なお、情報端末２は、複数の地点Ｐ１、Ｐ２、Ｐ３、…を指定順に連結してできる折れ
線状のルートをユーザーの指定したルートとみなしてもよいし、当該折れ線状のルートを
補間又は平滑化してなる曲線状のルートをユーザーの指定したルートとみなしてもよいし
、折れ線状のルートに最も近い地図上のルートの中心線を、ユーザーの指定したルートと
みなしてもよい。
【００５０】
従って、ユーザーは、登山ルートのように交差点や目印の無いルートを情報端末２へ指
定することができる。
【００５１】
また、情報端末２は、ユーザーの指定したルート上に位置する複数の地点Ｐ１、Ｐ２、
Ｐ３、…の各々の位置座標（緯度、経度、高度）を、ローカル地図に含まれる地形データ
から抽出し、複数の地点Ｐ１、Ｐ２、Ｐ３、…の位置座標を地点番号順に配列してなるデ
ータを、ルートの構成を表すデータとして作成する。よって、例えば、図３に例示したル
ートの構成は、８つの地点Ｐ１〜Ｐ８の位置座標の集合で表される。
【００５２】
なお、地点Ｐｎの位置座標（緯度、経度、高度）は、地球上における地点Ｐｎの絶対的
な位置を示す座標である。
【００５３】
また、ルートの詳細な形状を電子機器１へ登録したい場合には、ユーザーが地図上で指
定する地点の個数を増やせばよい。
【００５４】
また、ユーザーは、ルートを指定する際に、ルートを構成する複数の地点の属性を情報
端末２へ入力することもできる。地点の属性は、例えば、「休憩地点」、「昼食地点」、
「分岐地点」、「写真撮影地点」などであり、ユーザーが入力したイベント名、コメント
などである。地点の属性は、例えば、テキストによって入力されてもよいし、予め用意さ
れた複数のアイコン（マーク）の選択によって入力されてもよい。
【００５５】
また、ユーザーは、ルートを指定する際に、ルートの出発地点からの希望出発日時、ル
ートの目標地点への希望到着日時などを情報端末２へ入力することもできる。日時は、例
えば、テキスト（数値）によって入力される。
【００５６】
１−３．サブルートの指定
サブルートの指定の方法も、メインルートの指定の方法と基本的に同じである。図４に
示すとおり、ユーザーは、サブルートの各地点Ｐ１、Ｐ２、Ｐ３、…を、ルートの出発地
点Ｐ１から順に指定（タッチ）し、最後の地点である目標地点（図４では地点Ｐ６）の指
定が完了すると、情報端末２へ完了通知を入力する。
【００５７】
なお、図４に示す例では、サブルートの出発地点Ｐ１及び目標地点Ｐ６は、メインルー
ト（図３参照）の途中の地点Ｐ４と同じである。
【００５８】
１−４．エスケープルートの指定
エスケープルートの指定の方法も、メインルートの指定の方法と基本的に同じである。
図５に示すとおり、ユーザーは、エスケープルートの各地点Ｐ１、Ｐ２、Ｐ３、…を、ル
ートの出発地点Ｐ１から順に指定（タッチ）し、最後の地点である目標地点（図５では地
点Ｐ４）の指定が完了すると、情報端末２へ完了通知を入力する。
【００５９】
なお、図５に示す例では、エスケープルートの出発地点Ｐ１は、メインルート（図３参
照）の途中の地点Ｐ６と同じである。
【００６０】
１−５．用途等の指定
ここでも、情報端末２のユーザーインターフェースとしてタッチパネルが使用される場
合を想定する。
【００６１】
ユーザーは、ルートの指定を行う際に、ルートの指定画面（図３〜図５）上で、指定使
用としているルートの名称（第１ルート、第２ルートなど）、当該ルートの用途（メイン
、サブなど）、当該用途の表示態様（線種など）を、情報端末２へ指定することができる
。
【００６２】
例えば、ユーザーは、図６に示すとおり、ルートの指定画面上で、名称の入力先（図６
では「ルート名」というテキストイメージ）をタッチすることにより、不図示のテキスト
入力画面を情報端末２へ表示させ、ルートの名称（例えば「第１ルート」）をテキスト入
力する。入力完了の通知をユーザーが情報端末２へ入力すると、情報端末２は、ユーザー
の入力した名称（「第１ルート」など）を認識する。
【００６３】
また、ユーザーは、図６に示すとおり、ルートの指定画面上で、用途の入力先（図６で
は「用途」というテキストイメージ）をタッチすることにより、用途の選択画面（プルダ
ウンメニュー）Ｉｍ１を情報端末２へ表示させる。選択画面Ｉｍ１には、用途の候補「メ
イン」、「サブ」、「エスケープ」などが列記されている。
【００６４】
この選択画面Ｉｍ１上でユーザーが所望の用途（例えば「メイン」）をタッチすると、
情報端末２は、ユーザーの指定した用途（メイン）を情報端末２が認識する。
【００６５】
更に、ユーザーは、図６に示すとおり、ルートの指定画面上で、指定中の用途（例えば
「メイン」）をロングタッチすることにより、線種（表示態様の一種）の選択画面（プル
ダウンメニュー）Ｉｍ２を表示させる。選択画面Ｉｍ２には、線種の候補（太い実線、細
い実線、破線、一点鎖線などのイメージ）が列記されている。
【００６６】
この選択画面Ｉｍ２上でユーザーが所望の線種（例えば実線イメージ）をタッチすると
、用途についてユーザーの指定した線種（実線）を、情報端末２が認識する。
【００６７】
更に、ユーザーは、図６に示すとおり、ルートの指定画面上で、指定中の線種（実線）
をロングタッチすることにより、線色（表示態様の一種）の選択画面（プルダウンメニュ
ー）Ｉｍ３を表示させる。選択画面Ｉｍ３には、線色の候補（赤、青、緑などのサンプル
）が列記されている（但し、図では色を表現できないので、図６では色の違いをテキスト
の違いで表した。）。
【００６８】
この選択画面Ｉｍ３上でユーザーが所望の線色（例えば赤のサンプル）をタッチすると
、ユーザーの指定した線色（赤）を情報端末２が認識する。
【００６９】
そして、ユーザーは、以上の名称、用途、表示態様の指定を、メインルート、サブルー
ト、エスケープルートの各々について行う。但し、ユーザーは、少なくとも１つのルート
についての名称の指定を省略してもよい。その場合、デフォルトで割り当てられた名称が
ユーザーの指定した名称とみなされる。また、ユーザーは、少なくとも１つの用途につい
ての表示態様の指定を省略してもよい。その場合、デフォルトで割り当てられた表示態様
がユーザーの指定した表示態様とみなされる。
【００７０】
また、ユーザーが少なくとも１つの用途について表示態様を指定する場合、情報端末２
は、他の用途について既にユーザーが指定した表示態様と同じ表示態様を、ユーザーへ提
示する表示態様の候補から外すこと（表示態様の候補の数を制限すること）が望ましい。
【００７１】
従って、ユーザーは、互いに異なる複数の用途に対して互いに異なる所望の表示態様（
線種及び線色の組み合わせ）を割り当てることができる。
【００７２】
そして、情報端末２は、ユーザーの指定した複数のルートの各々の構成、複数のルート
の各々の名称、複数のルートの各々の用途、用途ごとの表示態様（線種及び線色の組み合
わせ）などのデータを作成する。
【００７３】
以下、ルートの構成、ルートの名称、ルートの用途などのルートに関するデータを「ル
ートのデータ」と称し、用途ごとの表示態様を示すデータを「表示態様のデータ」と称す
。これらルートのデータ及び表示態様のデータは、電子機器１の記憶部１３０へ登録デー
タ１３２として格納される。
【００７４】
ルートのデータ（複数のルートの各々の用途を示す情報の一例）のデータ構造を可視化
すると、例えば、図７（Ａ）に示すとおりである。また、表示態様のデータ（複数の用途
と複数の表示態様との対応関係を示す情報の一例）のデータ構造を可視化すると、例えば
、図７（Ｂ）に示すとおりである。
【００７５】
１−６．電子機器等の構成
図２は、電子機器等の構成を説明するための機能ブロック図である。
【００７６】
図２に示すように、電子機器１は、ＧＰＳセンサー１１０、地磁気センサー１１１、気
圧センサー１１２、処理部（表示処理部の一例）１２０、記憶部１３０、操作部１５０、
計時部１６０、表示部１７０、音出力部１８０、通信部１９０などを含んで構成される。
但し、電子機器１の構成は、これらの構成要素の一部を削除又は変更し、或いは他の構成
要素を追加したものであってもよい。
【００７７】
ＧＰＳセンサー１１０は、電子機器１の位置を示す測位データ（緯度、経度、高度）を
生成して処理部１２０へ出力するセンサーであって、例えばＧＰＳ受信機（GPS: Global 
Positioning System）等を含んで構成される。ＧＰＳセンサー１１０は、外部から到来す
る所定周波数帯域の電磁波を不図示のＧＰＳアンテナで受信し、ＧＰＳ衛星からのＧＰＳ
信号を抽出すると共に、当該ＧＰＳ信号に基づき電子機器１の位置を示す測位データを生
成する。
【００７８】
地磁気センサー１１１は、電子機器１から見た地球の磁場の方向を示す地磁気ベクトル
を検出するセンサーであって、例えば、互いに直交する３つの軸方向の磁束密度を示す地
磁気データを生成する。地磁気センサー１１１には、例えば、ＭＲ（Magnet resistive）
素子、ＭＩ（Magnet impedance）素子、ホール素子などが用いられる。
【００７９】
気圧センサー１１２は、電子機器１の周辺の気圧を検出するセンサーであって、例えば
、振動片の共振周波数の変化を利用する方式（振動方式）の感圧素子を有している。この
感圧素子は、例えば、水晶、ニオブ酸リチウム、タンタル酸リチウム等の圧電材料で形成
された圧電振動子であり、例えば、音叉型振動子、双音叉型振動子、ＡＴ振動子（厚みす
べり振動子）、ＳＡＷ共振子などが適用される。なお、気圧センサー１１２の出力は、Ｇ
ＰＳセンサー１１の測位データに含まれる高度の情報を補正するため、或いは高度の情報
を補償するために使用されてもよい。
【００８０】
処理部１２０は、例えば、ＣＰＵ（Central Processing Unit）、ＤＳＰ（Digital Sig
nal Processor）、ＡＳＩＣ（Application Specific Integrated Circuit）等により構成
される。処理部１２０は、記憶部１３０に格納された表示処理プログラム１３３（プログ
ラムの一例）などの各種プログラムと、操作部１５０を介してユーザーが入力した各種の
コマンドとに従い各種の処理を行う。処理部１２０による処理には、ＧＰＳセンサー１１
０、地磁気センサー１１１、気圧センサー１１２の生成するデータに対するデータ処理、
表示部１７０へ画像を表示させる表示処理、音出力部１８０に音を出力させる音出力処理
などが含まれる。
【００８１】
記憶部１３０は、例えば１又は複数のＩＣメモリーなどにより構成され、表示処理プロ
グラム１３３などのデータが記憶されるＲＯＭと、処理部１２０の作業領域となるＲＡＭ
とを有する。なお、ＲＡＭには不揮発性のＲＡＭも含まれ、不揮発性のＲＡＭには、登録
データ１３２などの記憶領域などが確保されている。
【００８２】
操作部１５０は、例えばボタン、キー、マイク、タッチパネル、音声認識機能、加速度
計によるアクション検出機能、などで構成され、ユーザーからの指示を適当な信号に変換
して処理部１２０に送る処理を行う。
【００８３】
計時部１６０は、例えば、リアルタイムクロック（ＲＴＣ：Real Time Clock）ＩＣな
どにより構成され、年、月、日、時、分、秒等の時刻データを生成して処理部１２０に送
る。
【００８４】
表示部１７０は、例えばＬＣＤ（Liquid Crystal Display）、有機ＥＬ（Electrolumin
escence）ディスプレイ、ＥＰＤ（Electrophoretic Display）、タッチパネル型ディスプ
レイ等で構成され、処理部１２０からの指示に従って各種の画像を表示する。
【００８５】
音出力部１８０は、例えばスピーカー、ブザー、バイブレーターなどで構成され、処理
部１２０からの指示に従って各種の音（又は振動）を発生させる。
【００８６】
通信部１９０は、電子機器１と情報端末２（スマートフォンなど）との間のデータ通信
を成立させるための各種制御を行う。通信部１９０は、例えば、Bluetooth（登録商標）
（BTLE：Bluetooth Low Energyを含む）、Ｗｉ−Ｆｉ（登録商標）（Wi-Fi:Wireless Fid
elity）、Ｚｉｇｂｅｅ（登録商標）、ＮＦＣ（Near field communication）、Ａｎｔ＋
等の近距離無線通信規格に対応した送受信機を含んで構成される。
【００８７】
情報端末２は、インターネットなどのネットワーク３に接続可能なスマートフォン、タ
ブレットＰＣ、デスクトップＰＣなどの情報端末であって、電子機器１の通信部１９０に
対応した不図示の通信部を搭載している。情報端末２の記憶部には、電子機器１に関連す
るプログラムがインストールされており、情報端末２はこのプログラムに従って動作する
。このプログラムは、例えばインターネットなどのネットワーク３を介してネットワーク
サーバー４からダウンロードされたものである。
【００８８】
ネットワークサーバー４は、インターネットなどのネットワーク３に接続されたネット
ワークサーバーである。ネットワークサーバー４には、電子機器１のユーザーからアップ
ロードされたデータなどをユーザーごとに管理する機能が搭載されている。また、ネット
ワークサーバー４には、電子機器１のユーザーに向けてプログラムや地図データなどを提
供する機能も搭載されている。
【００８９】
１−７．情報端末の処理
図８は、事前準備における情報端末２の処理を説明するためのフローチャートである。
事前準備では、情報端末２はネットワーク３及び電子機器１に接続されていると仮定する
。以下、図８の各ステップを順に説明する。
【００９０】
ステップＳ１１０：情報端末２は、ネットワークサーバー４に蓄積されている全世界地
図を表示し、地図上でユーザーにルートを指定させる。ユーザーによるルートの指定方法
は、前述したとおりである（図３等を参照。）。
【００９１】
ステップＳ１２０：情報端末２は、ルートの用途をユーザーに指定させる。ユーザーに
よる用途の指定方法は、前述したとおりである（図６等を参照。）。
【００９２】
ステップＳ１３０：情報端末２は、用途の表示態様をユーザーに指定させる。ユーザー
による表示態様の指定方法は、前述したとおりである（図６等を参照。）。
【００９３】
ステップＳ１４０：情報端末２は、ルートの追加指示がユーザーから入力されたか否か
を判定し、入力されたと判定した場合（ステップＳ１４０のＹ）には、ステップＳ１１０
へ移行し、入力されていないと判定した場合（ステップＳ１４０のＮ）には、ステップＳ
１５０へ移行する。従って、ユーザーは、複数のルートの指定を順次に行うことができる
。例えば、ユーザーは、メインルートの指定（図３参照）、サブルートの指定（図４参照
）、エスケープルートの指定（図５参照）を順次に行う。
【００９４】
ステップＳ１５０：情報端末２は、ルートのデータ（図７（Ａ）参照）、表示態様のデ
ータ（図７（Ｂ）参照）、指定された複数のルート（メインルート、サブルート、エスケ
ープルート）を包含するローカル地図等を準備し、それらデータを登録データ１３２とし
て電子機器１の記憶部１３０へ書き込み、フローを終了する。これによって、ルートの登
録が完了する。
【００９５】
１−８．電子機器の処理
図９は、登山当日における電子機器１の処理部１２０の処理（ナビゲーションに係る処
理）を説明するためのフローチャートである。ここでは、登山当日、ユーザーが電子機器
１を単体で携帯し、登山の開始時にフローの開始指示を電子機器１へ入力したと仮定する
。以下、図９の各ステップを順に説明する。
【００９６】
ステップＳ２１０：電子機器１の処理部１２０は、複数のルートのデータ（図７（Ａ）
）、表示態様のデータ（図７（Ｂ））などを、記憶部１３０の登録データ１３２から読み
出す。
【００９７】
ステップＳ２２０：処理部１２０は、複数のルートのデータ、表示態様のデータなどに
基づき、例えば図１０に示すとおり、複数のルートのイメージを、ルートの用途ごとに異
なる表示態様で表示部１７０へ表示し、かつ、現在地点を表示部１７０へ表示する。なお
、表示部１７０には、その他、バッテリー残量のイメージ、現在時刻のテキストイメージ
なども表示される。
【００９８】
表示に当たり、処理部１２０は、複数のルートの各々のイメージを、ルートのデータ（
図７（Ａ））に従って作成する。また、処理部１２０は、用途ごとの表示態様を、表示態
様のデータ（図７（Ｂ））に従って設定する。また、処理部１２０は、現在地点の位置座
標を、ＧＰＳセンサー１１０の出力（測位データ）、気圧センサー１１２の出力（気圧デ
ータ）などに基づき算出する。
【００９９】
図１０において、符号１７０Ａは、表示部１７０の表示画面（ここでは円形とした。）
であり、符号Ｉｍｒｍは、ユーザーが用途として「メイン」を指定したルート（メインル
ート）のイメージであり、符号Ｉｍｒｓは、ユーザーが用途として「サブ」を指定したル
ート（サブルート）のイメージであり、符号Ｉｍｒｅは、ユーザーが用途として「エスケ
ープ」を指定したルート（エスケープルート）のイメージであり、符号Ｉｍｔｅは、現在
地点を示すマークである（なお、図では、ルートのイメージを折れ線で表したが、曲線で
表してもよい。）。
【０１００】
メインルートのイメージＩｍｒｍの表示態様は、当該ルートの用途（すなわち「メイン
」）についてユーザーが予め指定した表示態様（図１０では実線かつ黒色の組み合わせ）
に設定される。
【０１０１】
サブルートのイメージＩｍｒｓの表示態様は、当該ルートの用途（すなわち「サブ」）
についてユーザーが予め指定した表示態様（図１０では実線かつ濃いグレーの組み合わせ
）に設定される。
【０１０２】
エスケープルートのイメージＩｍｒｅの表示態様は、当該ルートの用途（すなわち「エ
スケープ」）についてユーザーが予め指定した表示態様（図１０では実線かつ淡いグレー
の組み合わせ）に設定される。
【０１０３】
現在地点のマークＩｍｔｅは、例えば矢印マークであり、矢印の向きは、ルートにおけ
る電子機器１の向き（例えば、表示画面を１２時制の文字板とみなしたときの１２時方向
）を示している。電子機器１の向きは、地磁気センサー１１１の出力（地磁気データ）に
基づき算出される。
【０１０４】
登山の開始当初、現在地点のマークＩｍｔｅは、図１０に示すとおりメインルートの出
発地点に位置する。また、電子機器１の１２時方向がルートの進行方向を向いているとき
には、マークＩｍｔｅの矢印もルートの進行方向を向く。
【０１０５】
ここで、ユーザーは、表示画面１７０Ａに表示された複数のルートのうち、自分が移動
しようとしているルート（登山の開始当初はメインルート）を選択し、選択の結果を操作
部１５０を介して電子機器１へ入力する。例えば、ユーザーは、操作部１５０に含まれる
ボタンをプッシュすることにより選択先ルートをサイクリックに切り替え、所望のルート
が選択先となっている期間中に操作部１５０に含まれる他のボタンを押すことにより、選
択の結果（選択されたルート）を電子機器１へ入力する。
【０１０６】
なお、ここでは、電子機器１に対するユーザーの入力に操作部１５０のボタンを利用す
る場合を例に挙げたが、電子機器１に搭載された他のユーザーインターフェース（タッチ
パネル、音声認識機能、加速度計によるアクション検出機能など）が利用されてもよい（
以下においても同様）。
【０１０７】
ステップＳ２４０：処理部１２０は、ユーザーによるルート選択の結果が入力されたか
否かを判定し、入力されたと判定した場合には（ステップＳ２４０のＹ）、ステップＳ２
５０へ移行し、入力されていないと判定した場合には（ステップＳ２４０のＮ）、ステッ
プＳ２２０へ移行する。
【０１０８】
ステップＳ２５０：処理部１２０は、ステップＳ２２０と同様の表示を行う。但し、本
ステップにおける処理部１２０は、選択中のルートの表示態様を、非選択中のルートの表
示態様とは異なるものに設定する。
【０１０９】
例えば、処理部１２０は、図１１に示すとおり、複数のルートのうち選択中のルート（
図１１ではメインルート）を強調表示（例えば点滅表示）する。図１１では、ルートの周
辺に多数の放射状マークを付与することにより点滅表示されている様子を表した。
【０１１０】
また、処理部１２０は、図１１に示すとおり、選択中のルート（図１１ではメインルー
ト）の属性マークを、ルートの該当箇所へ表示する。ルートの属性マークとは、ルートを
構成する幾つかの地点について予めユーザーが入力した属性を示すマークであって、例え
ば、ルートの出発地点（Ｓ）を示すマークＭｓ、ルートの目標地点（Ｇ）を示すマークＭ
ｇなどである。
【０１１１】
また、２回目以降の本ステップにおける処理部１２０は、図１２に示すとおり、選択中
のルートのうち、現在地点（符号Ｉｍｔｅ）より前の部分（ユーザーが移動済みのルート
の一例）の表示態様と、現在地点（符号Ｉｍｔｅ）より後の部分（ユーザーが移動済みで
ないルートの一例）の表示態様とを、異なるものに設定する。図１２では、現在地点（Ｉ
ｍｔｅ）より前の部分の表示態様を実線とし、現在地点（Ｉｍｔｅ）より後ろの部分の表
示態様を破線としている。
【０１１２】
ここで、ユーザーは、メインルートの移動途中で時間的余裕と体力的余裕とが十分にあ
り、サブルートを移動してみようと判断した場合などには、その時点で操作部１５０の所
定のボタンを操作し、選択中のルートを変更する旨を電子機器１へ入力する。或いは、ユ
ーザーは、メインルート又はサブルートの移動途中で時間的余裕と体力的余裕とが無くな
り、エスケープルートを経由して下山すべきと判断した場合にも、その時点で操作部１５
０の所定のボタンを操作し、選択中のルートを変更する旨を、電子機器１へ入力する。
【０１１３】
ステップＳ２６０：処理部１２０は、ルートを変更する旨の通知が操作部１５０を介し
てユーザーから入力されたか否かを判定し、入力されたと判定した場合（ステップＳ２６
０のＹ）は、ステップＳ２２０へ移行し、入力されていないと判定した場合（ステップＳ
２６０のＮ）は、ステップＳ２７０へ移行する。
【０１１４】
ステップＳ２７０：処理部１２０は、選択中のルートの目標地点（図１２の符号Ｍｇ）
に現在地点（図１２の符号Ｉｍｔｅ）が一致したか否かを判定し、一致したと判定した場
合（ステップＳ２７０のＹ）には、フローを終了し、一致していないと判定した場合（ス
テップＳ２７０のＮ）には、ステップＳ２５０へ移行する。
【０１１５】
２．実施形態の補足
なお、上記の実施形態では、電子機器１に登録されるルートを、以下の３つのみとした
。
【０１１６】
（１）用途が「メイン」であるルート（メインルート）
（２）用途が「サブ」であるルート（サブルート）
（３）用途が「エスケープ」であるルート（エスケープルート）
しかし、電子機器１に登録されるメインルートの数は複数であってもよいし、サブルー
トの数は複数であってもよいし、エスケープルートの数は複数であってもよい。例えば、
以下の（１）〜（２０）のルートが電子機器１に登録されてもよい。
【０１１７】
（１）１日目の行きのメインルート
（２）１日目の行きの第１サブルート
（３）１日目の行きの第２サブルート
（４）１日目の行きの第１エスケープルート
（５）１日目の行きの第２エスケープルート
（６）１日目の帰りのメインルート
（７）１日目の帰りの第１サブルート
（８）１日目の帰りの第２サブルート
（９）１日目の帰りの第１エスケープルート
（１０）１日目の帰りの第２エスケープルート
（１１）２日目の行きのメインルート
（１２）２日目の行きの第１サブルート
（１３）２日目の行きの第２サブルート
（１４）２日目の行きの第１エスケープルート
（１５）２日目の行きの第２エスケープルート
（１６）２日目の帰りのメインルート
（１７）２日目の帰りの第１サブルート
（１８）２日目の帰りの第２サブルート
（１９）２日目の帰りの第１エスケープルート
（２０）２日目の帰りの第２エスケープルート
但し、電子機器１に複数のルートが登録されている場合であっても、使用時期の異なる
複数のルートについては表示部１７０へ同時に表示させる必要は無い。例えば、上記のル
ート（１）〜（２０）のルートのうち、日付の異なるルートは同時に表示させる必要が無
いし、日付が同じであっても時間帯の異なる行きのルートと帰りのルートとは、使用時期
が異なるため、同時に表示させる必要が無い可能性もある。
【０１１８】
このため、電子機器１の処理部１２０は、表示部１７０へ同時に表示させる複数のルー
トの組み合わせを、登録された複数のルートの各々に付随する日時のデータ（希望日時等
）やユーザーからの要求などに応じて制限してもよい。
【０１１９】
また、上記の実施形態では、ルートの用途の１種として「サブ」を用意したが、「サブ
」より下位に相当する詳細な用途を用意してもよい。例えば、「サブ」の下位の用途とし
ては、「登頂用のサブ」、「休憩場所へ行くためのサブ」、「景色を見に行くためのサブ
」などが挙げられる。また、同様に、「メイン」の下位に相当する詳細な用途を用意して
もよいし、「エスケープ」の下位に相当する詳細な用途を用意してもよい。
【０１２０】
また、上記の実施形態では、サブルートとエスケープルートの両方を装置へ登録したが
、一方だけを登録しても良い。
【０１２１】
また、上記の実施形態では、表示態様として、ルートの線色、線種、点滅の有無などを
使用したが、他の表示態様を使用してもよい。例えば、破線で示したルートの明暗を定期
的に反転させたり、明暗の位相を目標地点に向けてシフトさせたりしてもよい（アニメー
ション表示）。明暗の位相をシフトさせれば、図１３に矢印で示すとおり、ルートの内部
を明暗パターンが移動しているように見える。或いは、図１４に示すとおり、連続する複
数の小矢印によってルートを示し、それらの小矢印を目標地点に向けて少しずつシフトさ
せてもよい（アニメーション表示）。
【０１２２】
また、上記の実施形態では、ユーザーが用途ごとに指定する表示態様を、線色と線種と
の組み合わせとしたが、線色（線の濃度）、線種、点滅の有無、アニメーションの種類（
ここでいう「アニメーション」には、点滅なども含まれる。）の少なくとも２つの組み合
わせとしてもよいし、１つのみとしてもよい。
【０１２３】
また、上記の実施形態では、ルートの用途をルートの表示態様のみによって表したが、
テキストイメージ又はマークを併用してもよい。例えば、メインルートのイメージの近傍
に、用途が「メイン」であることを示すテキストイメージを付与したり、用途が「メイン
」であることを示すマークを付与したりしてもよい。また、サブルートのイメージの近傍
に、用途が「サブ」であることを示すテキストイメージを付与したり、用途が「サブ」で
あることを示すマークを付与したりしてもよい。また、エスケープルートのイメージの近
傍に、用途が「エスケープ」であることを示すテキストイメージを付与したり、用途が「
エスケープ」であることを示すマークを付与したりしてもよい。
【０１２４】
また、上記の実施形態において、表示画面におけるルートの表示方向（及び現在地点の
マークの表示方向）は、電子機器１の実際の方位に応じて回転させてもよいし、地図の北
側を電子機器１の１２時方向に固定してもよいし、回転させるか固定させるかをユーザー
が予め設定できるようにしてもよい。
【０１２５】
また、上記の実施形態では、ネットワークサーバー４の機能の一部（例えばユーザーデ
ータの保管に関する機能）が情報端末２又は電子機器１に搭載されてもよいし、情報端末
２又は電子機器１の機能の一部がネットワークサーバー４に搭載されてもよい。また、上
記の実施形態では、電子機器１の機能の一部又は全部が情報端末２に搭載されてもよいし
、情報端末２の機能の一部又は全部が電子機器１に搭載されてもよい。
【０１２６】
３．実施形態の作用効果
以上説明したとおり、本実施形態の電子機器１は、ユーザーによって用途の指定された
複数のルートを、複数のルートの用途ごとに異なる表示態様で表示する表示処理部（ステ
ップＳ２５０における処理部１２０）を含む。
【０１２７】
一般に、ユーザーは、登山などで複数のルートを想定する場合、ルートの用途を予め決
めていることが多い。このため、表示処理部（ステップＳ２５０における処理部１２０）
がユーザーの指定した用途ごとに異なる表示態様でルートを表示すれば、ユーザーは、電
子機器１に表示された複数のルートを簡単に区別することができる。
【０１２８】
また、本実施形態の電子機器１は、表示処理部（ステップＳ２５０における処理部１２
０）が参照する情報（登録データ１３２）として、複数のルートの各々の用途を示す情報
（ルートのデータ）と、複数の用途と複数の表示態様との対応関係を示す情報（表示態様
のデータ）とを記憶する記憶部１３０を更に備える。
【０１２９】
従って、表示処理部（ステップＳ２５０における処理部１２０）は、用途ごとの表示態
様を、予め記憶されたものとすることができる。従って、ユーザーは、電子機器１に表示
されたルートの表示形態から、当該ルートの用途を認識することができる。
【０１３０】
また、本実施形態の電子機器１において、複数のルートには、予備のルートであるサブ
ルートと、主たるルートであるメインルートから離脱するためのエスケープルートとのう
ち少なくとも一方と、メインルートと、が含まれる。
【０１３１】
従って、ユーザーは、電子機器１に表示されたルートがメインルートであるかサブルー
トであるかを簡単に区別すること、或いは、メインルートであるかエスケープルートであ
るかを簡単に区別することができる。
【０１３２】
また、本実施形態の電子機器１において、サブルートは、メインルートの第１のの地点
を出発地点とし、かつ、メインルートの第２の地点を目標地点としたルートである。
【０１３３】
これらメインルートとサブルートとは、一部の地点を共有するので、ユーザーが区別し
にくいと考えられる。しかし、表示処理部（ステップＳ２５０における処理部１２０）は
、メインルートとサブルートとを互いに異なる表示態様で表示するので、ユーザーは、電
子機器１に表示されたルートの表示態様から、当該ルートの用途がメインとサブとの何れ
であるかを簡単に区別することができる。
【０１３４】
また、本実施形態の電子機器１において、エスケープルートは、メインルートの何れか
の地点を出発地点とし、かつ、メインルートから外れた地点を目標地点としたルートであ
る。
【０１３５】
これらメインルートとエスケープルートとは、一部の地点を共有するので、ユーザーが
区別しにくいと考えられる。しかし、表示処理部（ステップＳ２５０における処理部１２
０）は、メインルートとエスケープルートとを互いに異なる表示態様で表示するので、ユ
ーザーは、電子機器１に表示されたルートの表示態様から、当該ルートの用途がメインと
エスケープとの何れであるかを簡単に区別することができる。
【０１３６】
また、本実施形態の電子機器１において、表示処理部（処理部１２０）は、複数のルー
トを、複数のルートの用途ごとに異なる線色又は異なる線種で表示する。
【０１３７】
従って、表示処理部（ステップＳ２５０における処理部１２０）は、ユーザーの指定し
た用途ごとに異なる線色又は線種でルートを表示することができる。従って、ユーザーは
、電子機器１に表示されたルートの線色又は線色から、当該ルートの用途を簡単に認識す
ることができる。
【０１３８】
また、本実施形態の電子機器１において、表示処理部（処理部１２０）は、更に、ユー
ザーが選択中のルートと、ユーザーが非選択中のルートとを、互いに異なる表示態様で表
示する。
【０１３９】
従って、ユーザーは、電子機器１に表示されたルートの選択の有無を、当該ルートの表
示態様から簡単に認識することができる。
【０１４０】
また、本実施形態の電子機器１において、表示処理部（処理部１２０）は、更に、ユー
ザーが移動済みのルートと、ユーザーが移動済みでないルートとを、互いに異なる表示態
様で表示する。
【０１４１】
従って、ユーザーは、電子機器１に表示されたルートが移動済みであるか否かを、当該
ルートの表示態様から簡単に認識することができる。
【０１４２】
また、本実施形態の電子機器１は、可搬の電子機器であり、かつ、ユーザーの所定部位
へ装着可能である。
【０１４３】
従って、ユーザーは、ハンズフリーの状態で移動することができる。従って、電子機器
１は、スポーツ、例えば、ウォーキング、ランニング、トレイルランニング、登山、自転
車、バックカントリースキー、スノーシューなどに好適である。
【０１４４】
また、本実施形態の電子機器１において、所定部位は、腕又は手首である。
【０１４５】
従って、ユーザーは、電子機器１を腕時計等と同様の感覚で使用することができる。
【０１４６】
４．その他の変形例
本発明は上記の実施形態に限定されず、本発明の要旨の範囲内で種々の変形実施が可能
である。
【０１４７】
例えば、電子機器１又は情報端末２には、公知のスマートフォンの機能、例えば、カメ
ラ機能、通話機能、運動に関するセンシング機能（例えば、加速度センサー、角速度セン
サーなどの慣性センサー）などが搭載されてもよい。
【０１４８】
また、電子機器１又は情報端末２には、生体活動に関するセンシング機能、例えば、温
度センサー、湿度センサー、脈センサーなどが搭載されてもよい。
【０１４９】
また、電子機器１又は情報端末２は、リスト型電子機器、スマートフォン、ヘッドマウ
ントディスプレイ（ＨＭＤ：Head Mount Display）など、様々なタイプの携帯情報機器と
して構成することができる。
【０１５０】
また、上記の実施形態の電子機器１又は情報端末２は、ユーザーに対する情報の通知を
、主に画像表示により行ったが、音出力、振動などにより行ってもよいし、画像表示、音
出力、振動のうち少なくとも２つの組み合わせにより行ってもよい。
【０１５１】
また、上記の実施形態では、全地球衛星測位システムとしてＧＰＳ（Global Positioni
ng System）を利用したが、他の全地球航法衛星システム（ＧＮＳＳ：Global Navigation
Satellite System）を利用してもよい。例えば、ＥＧＮＯＳ(European Geostationary-S
atellite Navigation Overlay Service)、ＱＺＳＳ（Quasi Zenith Satellite System）
、ＧＬＯＮＡＳＳ（GLObal NAvigation Satellite System）、ＧＡＬＩＬＥＯ、ＢｅｉＤ
ｏｕ（BeiDou Navigation Satellite System）、等の衛星測位システムのうち１又は２以
上を利用してもよい。また、衛星測位システムの少なくとも１つにＷＡＡＳ（Wide Area 
Augmentation System）、ＥＧＮＯＳ(European Geostationary-Satellite Navigation Ov
erlay Service)等の静止衛星型衛星航法補強システム（ＳＢＡＳ：Satellite-based Augm
entation System）を利用してもよい。
【０１５２】
また、上述した各実施形態及び各変形例は一例であって、これらに限定されるわけでは
ない。例えば、各実施形態及び各変形例を適宜組み合わせることも可能である。
【０１５３】
また、本発明は、実施形態で説明した構成と実質的に同一の構成（例えば、機能、方法
及び結果が同一の構成、あるいは目的及び効果が同一の構成）を含む。また、本発明は、
実施形態で説明した構成の本質的でない部分を置き換えた構成を含む。また、本発明は、
実施形態で説明した構成と同一の作用効果を奏する構成又は同一の目的を達成することが
できる構成を含む。また、本発明は、実施形態で説明した構成に公知技術を付加した構成
を含む。
【符号の説明】
【０１５４】
１  電子機器、１１０  ＧＰＳセンサー、１２０  処理部、１３０  記憶部、１１１  地
磁気センサー、１１２  気圧センサー、１５０  操作部、１６０  計時部、１７０  表示
部、１８０  音出力部、１９０  通信部、２  情報端末、３  ネットワーク、４  ネット
ワークサーバー
【図１】
2016223962.tif 000003
【図２】
2016223962.tif 000004
【図３】
2016223962.tif 000005
【図４】
2016223962.tif 000006
【図５】
2016223962.tif 000007
【図６】
2016223962.tif 000008
【図７】
2016223962.tif 000009
【図８】
2016223962.tif 000010
【図９】
2016223962.tif 000011
【図１０】
2016223962.tif 000012
【図１１】
2016223962.tif 000013
【図１２】
2016223962.tif 000014
【図１３】
2016223962.tif 000015
【図１４】
2016223962.tif 000016